(57)【要約】外側マスク（４）内に複数の内側マスク（２、３）を有する呼吸用保護具（１）であって、内側マスク（２、３）は、マスクの外部から接眼マスクを介して口鼻領域へ吸気を導くようにダクト（８、９）によって連結される。口鼻マスク（３）は、呼吸周期の呼気部分の期間内に動作するようにばね付きの二次弁（１２）を有し、呼気はマスク（４）の中空外側本体へ放出される。【特許請求の範囲】
【請求項１】
少なくとも一つの一体型アイピースと、吸気を受け入れる少なくとも一つの入口弁と、呼気の排出を制御する少なくとも一つの出口弁と、を含む呼吸用保護具であって、着用したときに内側マスクと外側マスクの間にマスク空洞部を形成するように外側マスク内にある複数の内側マスク、すなわち、口鼻マスクである少なくとも一つの内側マスクと、接眼マスクである少なくとも一つの別の内側マスクと、をさらに含み、呼気の少なくとも一部は、マスク空洞部内に外気圧を超える圧力を実現するようにマスク空洞部の方へ導かれることを特徴とする、呼吸用保護具。
【請求項２】
内側マスクはダクトによって周囲の大気に通じる、請求項１に記載の呼吸用保護具。
【請求項３】
マスクは、外気から一つ以上の接眼マスクを介して口鼻領域までの吸気路を形成するように連結される、請求項２に記載の呼吸用保護具。
【請求項４】
口鼻マスクと接眼マスクとの間の通気路は逆流防止弁が設けられる、請求項３に記載の呼吸用保護具。
【請求項５】
呼吸用保護具の外側マスク、及び、一つ以上の内側の接眼マスクは、共通のアイピースを共有する、請求項１から４のいずれか一項に記載の呼吸用保護具。
【請求項６】
一つ以上の接眼マスクのアイピースは、呼吸用保護具の外側マスクにあるアイピースとは別個のものである、請求項１から４のいずれか一項に記載の呼吸用保護具。
【請求項７】
呼吸周期の呼気部分の全体の間に呼気が通ることができる第１の主出口弁と、呼気をマスク空洞部へ抜く能力を備えた二次弁とを有し、二次弁は呼吸周期の呼気部分の期間内に開閉する、請求項１から６のいずれか一項に記載の呼吸用保護具。
【請求項８】
図１を参照して明細書に詳述された、呼吸用保護具。
【発明の詳細な説明】
【技術分野】
【０００１】
本発明は、呼吸用保護具の効果を高めるため吸気及び呼気を使用するように設計された呼吸用保護具に係わり、着用者に特別な保護を与えるため、別個の内側マスクを備えた呼吸用保護具を提供する。
【背景技術】
【０００２】
作業者が大気汚染物質を含む危険な環境で作業できるようにする呼吸用保護具は、一般的に、マスク内に正圧を生じるために着用者の呼気に依存する。したがって、マスクが着用者の頭部と一体となってシール部を形成する場所でマスクへの漏れがある場合、又は、マスクの封じ込めが破られた場合、呼気がマスクから流出し、マスクを浄化し、汚染外気を追い出す。
【０００３】
しかし、従来の呼吸用保護具の内圧は吸入時に周囲よりも低下するので、内部への漏れが生じ、汚染物質がマスクの内部に入る可能性がある。マスク内部の汚染物質は、特に、目や口腔鼻腔を自由に襲うならば、着用者を害するか、若しくは、不快にする。
【０００４】
マスクは、通常、呼吸用保護具の内部で正圧を維持するため機械ポンプを組み込む等により、インリークの問題を解決するように設計されている。しかし、このような装置は、フェールセーフではなく、マスクの重量を増加させている。呼気がマスク内部の圧力を高めるために従来通り使用される場合、より高い内圧を維持するために、着用者にとって不快でありかつ疲れる呼吸の努力が必要である。
【０００５】
アイピースを組み入れる呼吸用保護具の２番目の公知の問題は、アイピースがしばしば曇りがちになることである。これは、吸気をアイピースの表面に流し、呼気をアイピースから遠ざけることによって部分的に解決される。しかし、このような呼吸用保護具では、マスクの中へ漏れる汚染空気がアイピースの表面に流され、目を攻撃するという欠点がある。
【発明の開示】
【発明が解決しようとする課題】
【０００６】
したがって、吸気と呼気の両方が、圧力レベルを周囲よりも高く保つために機械的手段に頼ることなく、マスクの機能に寄与し、その上、傷つきやすい目と口腔鼻腔の付加的な保護を組み入れる、呼吸用保護具を開発することが有利である。
【課題を解決するための手段】
【０００７】
このため、本発明は、少なくとも一つの一体型アイピースと、吸気を受け入れる少なくとも一つの入口弁と、呼気の排出を制御する少なくとも一つの出口弁と、を含む呼吸用保護具であって、着用したときに内側マスクと外側マスクの間にマスク空洞部を形成するように外側マスク内にある複数の内側マスク、すなわち、口鼻マスクである少なくとも一つの内側マスクと、接眼マスクである少なくとも一つの別の内側マスクと、をさらに含み、呼気の少なくとも一部は、マスク空洞部内に外気圧を超える圧力を実現するようにマスク空洞部の方へ導かれることを特徴とする、呼吸用保護具を提供する。
【０００８】
この構造の利点は、ぴったりと合わされた内側口鼻マスクを利用することにより、吸入のため生ずる圧力低下は、このマスクと、このマスクにダクトによって連結された他のマスクだけに限られるので、マスク空洞部に圧力低下が生じない。また、目領域用の内側マスク及び口鼻領域用の内側マスクを使用すると、着用者は汚染から２重に防護される。
【０００９】
呼気の一部分がマスク空洞部へ確実に導かれるようにすることによって、その部分の圧力は、外気よりも高く維持することができる。口鼻マスクには、呼気の一部又は全部を呼気ごとにマスク空洞部へ導くことができるように弁を設けると好都合である。
【００１０】
呼吸用保護具の動作は、呼気の一部をマスクから外へ出すため、主排気ダクト、又は、口鼻領域からの通路を、都合のよいことには逆流防止弁と共に利用し、一部の空気をマスク空洞部へ脱気するため口鼻マスクに二次弁を利用することによって有効に円滑化される。
【００１１】
有利には、主排気口は、さらなるシール部を形成するためマスクのチャンバへ導かれ、或いは、必要に応じてマスクの外部へ通気されてもよい。
【００１２】
二次弁は、弱いばね、又は、その他の適当な復元機構に接していると都合がよく、口鼻マスク内の僅かな所定の超過圧力で開閉する。これは、呼気周期中に弁を呼気の排出の期間内に開閉させることが可能であり、その結果として、弁が口鼻マスク内の圧力をマスク空洞部へ開放し、直ちに閉じ、口鼻マスク内の圧力が外気より低下したときでさえ、呼吸周期を通してマスク空洞部を外気圧よりも高く保つ点で有利である。
【００１３】
アイピースは、単一の接眼マスクに保持されてもよく、又は、ゴーグルの形でもよく、口鼻マスクに連結される。このような場合、逆流防止弁又は類似した機構が口鼻マスクと接眼マスクとの間にあるので、呼気はマスクのアイピースの上に戻されることはない。
【００１４】
これらの内側マスクは、有利的には、接近させて納められ、実質的に気密性を確保するためシール部が設けられ、顔のより傷つきやすい領域のための二次的なレベルの保護を提供し、吸気中に、圧力降下が内側マスク内に封じ込められることを保証する。
【００１５】
曇り現象を防止するため、吸気がマスクに取り込まれ、口鼻領域の方へ導かれる前に、ダクトを介して接眼マスクのアイピースの上に送られる。吸気が単にアイピースを越えて案内されるのではなく、接眼マスクを通って導かれることを保証することにより、より多くの気流が曇り除去のため利用される。その上、接眼マスクと口鼻マスクとの間に逆流防止弁を使用することにより、湿った呼気がこの気流と混ざってマスクを曇らせる可能性は低下する。
【００１６】
さらに、アイピースを浄化するため空気が使用されるその他のマスクでは、目はマスクの外側領域へ通じているので、封じ込めの裂け目が存在するならば、目は薬物による攻撃を受けるであろう。この新しい構造の場合、空気は、外部から一つ以上の接眼マスクを介して口鼻領域へ導かれる。吸気とマスク空洞部からの空気は混合しないので、マスク空洞部が裂けている場合でも、目は保護され、マスクはアイピース浄化機能を維持する。
【００１７】
接眼マスクのアイピースは外側マスクから完全に分離し、アイピースが一つずつ存在してもよく、或いは、接眼マスクのアイピースが単一のアイピースを形成し、外側マスクがこのマスクの部分の周りに形成され、これにより、内側マスクと外側マスクとの間に共通のアイピースが存在してもよい。
【００１８】
呼吸用保護具の外側マスクは、柔軟なフードであり、ゴムのような弾性材料で作られる方が好都合である。外側マスクの外周の周囲では、有利的には、マスクと頭部との間にシール部が設けられる。
【００１９】
マスク空洞部は、このシール部と、口鼻マスク及び接眼マスクの周りのシール部との間に形成され、使用中に外気圧を超える圧力に保つことができる容積部を作成する。
【発明を実施するための最良の形態】
【００２０】
次に、単に一例として添付図面を参照して、本発明の一実施形態を説明する。
【００２１】
図１を参照すると、呼吸用保護具１は、外側マスクの内部にマスク空洞部４を形成するため、呼吸用保護具１の本体内に二つの別個の内側マスク２、３を含む。接眼マスク２及び口鼻マスク３の両方は、隙間なく実質的に密閉して着用者に確実に取り付けられるように、それぞれ、シール部５及び６を有する。吸気は、外部７からダクト８、９を介して引き込まれ、口鼻マスク３へ引き込まれる前に接眼マスク２のアイピースの上に引き込まれる。呼気は、弁１０を介して外部７へ吐き出される。接眼マスクのアイピースは呼吸用保護具のアイピースを形成し、外側マスクは接眼マスクの外周の周囲でシールされている。
【００２２】
口鼻マスクへの入口ダクト９は、逆流防止弁１１と、二次弁１２が設けられ、二次弁は、主弁１０が開いた後に開き、主弁が閉じる前に閉じるように、すなわち、呼吸周期の呼気部分の期間内で動作するように、ばねが付けられている。二次弁１２は、呼気を外側マスクのマスク空洞部４へ抜くことができる。このように僅かな超過圧力で簡単に開く放出弁は、着用者が空洞部へ自由に息を吐き出すことを可能にするが、吸入時にマスク空洞内の圧力減少を防止する。外側マスクは、着用者の頭部と一体になってシール部１３を形成し、マスク内部の圧力が必ず外気圧を超えた状態を保つようにする。
【図面の簡単な説明】
【００２３】
【図１】呼吸用保護具の正面縦断面図である。
【図１】
2005516744.tif 000002
【国際調査報告】
2005516744.tif 000003
2005516744.tif 000004
2005516744.tif 000005